(57)【要約】      （修正有）【課題】分解するのに便利であり、分解後も非常に高い安定性を有する組合せ家具を提供する。【解決手段】正面ブロック板２と、机上板３と、仕切り板４と、２つの側面板５とを含む組合せ家具を構成する個々のユニット板の構造を具備する組合せ家具１である。２つの異なるタイプの分解／接続構造が、構造の基礎として、クランプ孔とクランプ突出部との間の共働による接続部材と、クランプ孔とラッチとの間の協働による接続部材とを用いて形成される。まず、クランプ孔とクランプ突出部とが嵌合によって固定され、これにより２以上のユニット板間のよりよい堅固さを得ることができ、さらに、２つのユニット板が、緩い締まり嵌めによってクランプ孔に固定されるラッチを用いて、クランプ孔とラッチとの間の掛け金式接続によって互いに協働することができる。【選択図】図１
0003193186.tif 000002
【実用新案登録請求の範囲】
【請求項１】
正面ブロック板と、机上板と、仕切り板と、２つの側面板とを具備し、
前記正面ブロック板及び前記２つの側面板は、垂直に配置され、前記机上板及び前記仕切り板は、水平に配置され、
前記仕切り板は、前記２つの側面板間に設けられ、前記机上板は、前記２つの側面板の上面に配置され、前記正面ブロック板は、前記２つの側面板の一方の側に配置され、
前記正面ブロック板は、さらに、前記正面ブロック板の２つの端部に設けられた複数の第１のクランプ孔と、前記正面ブロック板の中心に設けられた第２のクランプ孔と、前記正面ブロック板の上部に設けられた第３のクランプ孔とを有し、
前記机上板は、さらに、前記机上板の２つの端部に設けられた２つの第４のクランプ孔と、前記机上板の前記上部に設けられた第１のクランプ突出部とを有し、
各側面板は、さらに、前記側面板の側壁に設けられた第２のクランプ突出部と、前記側面板の板面に設けられた第５のクランプ孔と、前記側面板の上端に設けられた第１のラッチとを有し、
前記仕切り板は、さらに、前記仕切り板の２つの側壁に設けられた第３のクランプ突出部と、前記仕切り板の上端に設けられた第２のラッチとを有し、
前記正面ブロック板の前記第１のクランプ孔は、それぞれ、前記２つの側面板の前記第２のクランプ突出部と嵌合し、前記第２のクランプ孔は、前記仕切り板の前記第２のラッチと掛け金式に接続され、前記第３のクランプ孔は、前記机上板の前記第１のクランプ突出部と嵌合し、
前記机上板の前記２つの第４のクランプ孔は、それぞれ、前記２つの側面板の前記第１の掛け金式に接続され、
前記２つの側面板の前記第５のクランプ孔は、それぞれ、前記仕切り板の前記２つの側壁の前記第３のクランプ突出部と嵌合することを特徴とする組合せ家具。
【請求項２】
前記第１のクランプ孔、前記第２のクランプ孔、前記第３のクランプ孔、前記第４のクランプ孔及び前記第５のクランプ孔は、全てくびれ形状の孔であることを特徴とする請求項１に記載の組合せ家具。
【請求項３】
前記第１のクランプ突出部、前記第２のクランプ突出部及び前記第３のクランプ突出部は、全てＬ字形の横断面を有することを特徴とする請求項２に記載の組合せ家具。
【請求項４】
Ｌ字形の前記第１のクランプ突出部、前記第２のクランプ突出部及び前記第３のクランプ突出部は、全て、弧表面を備えた内壁を有し、前記弧表面は、くびれ形状の孔の弧表面と適合されることを特徴とする請求項３に記載の組合せ家具。
【請求項５】
前記第１のラッチと前記第２のラッチとの両方が、矩形の横断面を有し、前記くびれ形状の孔の形状に適合されることを特徴とする請求項２に記載の組合せ家具。
【請求項６】
前記机上板は、さらに、配線用孔を有することを特徴とする請求項１に記載の組合せ家具。
【請求項７】
前記仕切り板の数は、２ないし４であることを特徴とする請求項１に記載の組合せ家具。
【考案の詳細な説明】
【技術分野】
【０００１】
本考案は、家具製造の分野に、特に、組合せ家具に関する。
【背景技術】
【０００２】
日常生活において、コンピュータデスク、事務机、コーヒーテーブル及びいくつかの種の組合せ家具が、さまざまな規模及びサイズのねじを使用した固定及び組立てによって形成される。組立て中にねじ及びハードウェア工具を使用することが必要である。
【０００３】
上述の家具（例えば、机）がハードウェア工具によって組み立てられたり分解されたりするので、分解は、多くの時間を要し、多くの労力を要し、非常に不便である。従って、従来技術は、分解及び再組立ての単純かつ便利な動作を達成することに関する困難な問題を有する。
【考案の概要】
【０００４】
本考案の目的は、組合せ家具が長期間適所に置かれた後の分解及び再組立てのための動作が不便であり、再組立て後に不安定であるという技術的問題を解決するための組合せ家具を提供することである。
【０００５】
上述の目的を達成するための本考案の技術的解決策は、以下の通りである。
【０００６】
組合せ家具は、正面ブロック板と、机上板と、仕切り板と、２つの側面板とを具備する。前記正面ブロック板及び前記２つの側面板は、垂直に配置され、前記机上板及び前記仕切り板は、水平に配置される。前記仕切り板は、前記２つの側面板間に設けられ、前記机上板は、前記２つの側面板の上面に配置され、前記正面ブロック板は、前記２つの側面板の一方の側に配置され、  
前記正面ブロック板は、さらに、前記正面ブロック板の２つの端部に設けられた複数の第１のクランプ孔と、前記正面ブロック板の中心に設けられた第２のクランプ孔と、前記正面ブロック板の上部に設けられた第３のクランプ孔とを有し、  
前記机上板は、さらに、前記机上板の２つの端部に設けられた２つの第４のクランプ孔と、前記机上板の前記上部に設けられた第１のクランプ突出部とを有し、  
各側面板は、さらに、前記側面板の側壁に設けられた第２のクランプ突出部と、前記側面板の板面に設けられた第５のクランプ孔と、前記側面板の上端に設けられた第１のラッチとを有し、  
前記仕切り板は、さらに、前記仕切り板の２つの側壁に設けられた第３のクランプ突出部と、前記仕切り板の上端に設けられた第２のラッチとを有し、  
前記正面ブロック板の前記第１のクランプ孔は、前記２つの側面板の前記第２のクランプ突出部と嵌合し、前記第２のクランプ孔は、前記仕切り板の前記第２のラッチと掛け金式に接続され、前記第３のクランプ孔は、前記机上板の前記第１のクランプ突出部と嵌合し、前記机上板の前記２つの第４のクランプ孔は、それぞれ、前記２つの側面板の前記第１のラッチと掛け金式に接続され、前記２つの側面板の前記第５のクランプ孔は、それぞれ、前記仕切り板の前記２つの側壁の前記第３のクランプ突出部と嵌合する。
【０００７】
先行技術と比較して、本考案は、以下の効果を奏する。
【０００８】
上述の組合せ家具の構造に関する分析に基づけば、以下のことが理解されることができる。本考案による組合せ家具は、組立てによって組合せ家具を構成する（正面ブロック板と、机上板と、仕切り板と、２つの側面板とを有する）個々のユニット板による構造であり、２つの異なるタイプの分解／接続構造が、構造の基礎として、ユニット板間の接続部材（即ち、クランプ孔とクランプ突出部との間の協働による接続部材と、クランプ孔とラッチとの間の協働による接続部材）を用いて形成される。まず、クランプ孔とクランプ突出部とが、嵌合によって固定され、これにより、２以上のユニット板間のよりよい堅固さを得ることができ、さらに、２つのユニット板が、緩い締まり嵌めによってクランプ孔に固定されるラッチを用いて、クランプ孔とラッチとの間の掛け金式接続によって互いに協働することができる。組立て中、ラッチは、クランプ孔に入れられ、ラッチを叩く銅棒によってクランプ孔に挿入される。このような掛け金式接続は、組合せ家具のユニット板間の接続の安定性を高めるだけでなく、よりよい位置制限効果を達成する。従って、組立てる人は、組合せ家具全体を形成するために、必要とされるようにしてそれらを接続して組み立てることができる。組立て又は分解中、ハードウェア工具は必要ではなく、それ故、分解又は組立てのための動作がより便利になる。例えば、分解するとき、クランプ孔からクランプ突出部を引き出して、ラッチをそれらと共働するクランプ孔から引き出すことのみが必要とされ、これら２つの接続モードの分解を達成することができる。
【図面の簡単な説明】
【０００９】
【図１】図１は、本考案の一実施の形態による組合せ家具の組立て構造の概略的な斜視図である。
【図２】図２は、本考案の一実施の形態による組合せ家具の正面ブロック板の構造の概略図である。
【図３】図３は、本考案の一実施の形態による組合せ家具の机上板の構造の概略図である。
【図４】図４は、本考案の一実施の形態による組合せ家具の側面板の構造の概略図である。
【図５】図５は、本考案の一実施の形態による組合せ家具の仕切り板の構造の概略図である。
【図６】図６は、本考案の一実施の形態による組合せ家具のクランプ突出部及びクランプ孔の概略的な部分拡大図である。
【図７】図７は、本考案の一実施の形態による組合せ家具のラッチ及びクランプ孔の概略的な部分拡大図である。
【考案を実施するための形態】
【００１０】
以下、本考案が、図面と共に、特定の実施の形態によってさらに詳細に説明される。
【００１１】
図１を参照すると、本考案による組合せ家具１は、正面ブロック板２と、机上板３と、仕切り板４と、２つの側面板５とを有する。正面ブロック板２及び２つの側面板５は、垂直に配置され、机上板３及び仕切り板４は、水平に配置されている。仕切り板４は、２つの側面板５の間に設けられ、机上板３は、２つの側面板５の上部に配置され、正面ブロック板２は、２つの側面板５の一方の側に配置されている。
【００１２】
図２を参照すると、正面ブロック板２は、さらに、正面ブロック板の２つの端部に設けられた複数の第１のクランプ孔２０と、正面ブロック板の中心に設けられた第２のクランプ孔２１と、正面ブロック板の上部に設けられた第３のクランプ孔２２とを有する。
【００１３】
図３を参照すると、机上板３は、さらに、机上板の２つの端部に設けられた２つの第４のクランプ孔３０と、机上板の上端に設けられた第１のクランプ突出部３１とを有する。
【００１４】
図４を参照すると、各側面板５は、さらに、側面板の側壁に設けられた第２のクランプ突出部５０と、側面板の板面に設けられた第５のクランプ孔５１と、側面板の上端に設けられた第１のラッチ５２とを有する。
【００１５】
図５を参照すると、仕切り板４は、さらに、仕切り板の２つの側壁に設けられた第３のクランプ突出部４０と、仕切り板の上端に設けられた第２のラッチ４１とを有する。
【００１６】
組合せ家具１の組立ては、以下の通りである。
【００１７】
正面ブロック板の第１のクランプ孔は、それぞれ、２つの側面板の第２のクランプ突出部と嵌合し、第２のクランプ孔は、仕切り板の第２のラッチと掛け金式に接続され、第３のクランプ孔は、机上板の第１のクランプ突出部と嵌合し、机上板の２つの第４のクランプ孔は、それぞれ、２つの側面板の第１のラッチと掛け金式に接続され、２つの側面板の第５のクランプ孔は、仕切り板の２つの側壁の第３のクランプ突出部と嵌合する。
【００１８】
上述の組合せ家具の構造に関する分析に基づけば、以下のことが理解されることができる。本考案による組合せ家具は、組立てによって組合せ家具を構成する（正面ブロック板と、机上板と、仕切り板と、２つの側面板とを有する）個々のユニット板による構造であり、２つの異なるタイプの分解／接続構造が、構造の基礎として、ユニット板間の接続部材（即ち、クランプ孔とクランプ突出部との間の協働による接続部材と、クランプ孔とラッチとの間の協働による接続部材）を用いて形成される。まず、クランプ孔とクランプ突出部とが、嵌合によって固定され、これにより、２以上のユニット板間のよりよい堅固さを得ることができ、さらに、２つのユニット板が、緩い締まり嵌めによってクランプ孔に固定されるラッチを用いて、クランプ孔とラッチとの間の掛け金式接続によって互いに協働することができる。クランプ孔のサイズ、形状、表面の凸凹等に関して所定の必要性がある。組立て中、ラッチは、クランプ孔に入れられ、ラッチを叩く銅棒によってクランプ孔に挿入される。このような掛け金式接続は、組合せ家具のユニット板間の接続の安定性を高めるだけでなく、よりよい位置制限効果を達成する。従って、組立てる人は、組合せ家具全体を形成するために、必要とされるようにしてそれらを接続して組み立てることができる。組立て又は分解中、ハードウェア工具は必要ではなく、それ故、ハードウェア工具を使用する複雑さが低減されるので、分解又は組立てのための動作がより便利になる。例えば、分解するとき、クランプ孔からクランプ突出部を引き出して、ラッチをそれらと共働するクランプ孔から引き出すことのみが必要とされ、これら２つの接続モードの分解を達成することができる。
【００１９】
上の組合せ家具の個々のユニット板に設けられる接続部材の数は、本考案に規定されるものに限定されず、例えば、正面ブロック板の２つの端部に設けられる複数の第１のクランプ孔２０の特定の数や、正面ブロック板の中心に設けられる第２のクランプ孔２１の特定の数は、限定されない。
【００２０】
本考案による組合せ家具は、ハードウェア付属品及び工具なしで容易に組み立てられることができ、その構造は安定している。組合せ家具の購入者は、家庭や会社の実際の面積に応じて必要とされるような組立てによって、さまざまな体積及び面積の実際の製品を得ることができ、分解及び組立てが繰り返されることができ、品質が安定しており、分解後の搬送及び保管が便利であり、使用空間もまた必要に応じていつでも変更されることができる。
【００２１】
以下、本考案による組合せ家具の特定の構造がさらに説明される。
【００２２】
まず、従来技術では、組合せ家具の組立て後、かなり長期間の経過後、特に、比較的湿度の高いところに置かれた後、家具の外部に露出している金属ねじがさびて分解できなくなりうる。また、そのような接続部材がさびてしまった後、分解後に組合せ家具を再組立てすることが望まれる場合、最初に組み立てたときと同じような安定性を得るのは難しく、揺れが生じうる。本考案は、以下のような構造を用いて、上の欠点を効果的に克服することができる。
【００２３】
好ましくは、前記第１のクランプ孔、前記第２のクランプ孔、前記第３のクランプ孔、前記第４のクランプ孔及び前記第５のクランプ孔は、全てくびれ形状の孔である。
【００２４】
前記第１のクランプ突出部、前記第２のクランプ突出部及び前記第３のクランプ突出部は、全てＬ字形の横断面を有する。
【００２５】
好ましくは、Ｌ字形の前記第１のクランプ突出部、前記第２のクランプ突出部及び前記第３のクランプ突出部は、全て、弧表面を備えた内壁を有し、前記弧表面は、くびれ形状の孔の弧表面と適合される。
【００２６】
前記第１のラッチと前記第２のラッチとの両方が、矩形の横断面を有し、これは、前記くびれ形状の孔の形状に適合される（即ち、嵌め込まれる）。
【００２７】
クランプ孔は、くびれ形状の孔であり（即ち、中間部が矩形のキャビティであり、両端が半円形の弧を有する）、クランプ孔の長さは、クランプ突出部（即ち、突出部）の長さに対応し、これらは、同じ高さを有し、これにより、クランプ突出部がクランプ孔に挿入された後、揺れが生じない。
【００２８】
（第１、第２及び第３のクランプ突出部を含む）Ｌ字形のクランプ突出部は、全て、弧表面を備えた内壁を有し、その凹んだ底部は、同様に、くびれ形状の孔の２つの半円形の端部と正確に係合する半円形であり、揺れを引き起こさない。組立て中、クランプ突出部は、まず、クランプ孔に挿入され、次に、クランプ孔の一方の半円形の端部と緊密に係合するＬ字形のクランプ突出部を形成するように、後方に押される。
【００２９】
さらに、本考案による組合せ家具の（第１、第２及び第３のクランプ突出部、並びに第１及び第２のラッチを含む）接続部材、また、個々のユニット板（例えば、正面ブロック板、机上板、仕切り板及び２つの側面板）は、エンジニアリングプラスチック構造で作ることができる。エンジニアリングプラスチック（例えば、エンジニアリング樹脂又はＰＶＣのような材料）は、組合せ家具のユニット板の硬さ及び耐圧性を保証することができ、ユニット板間の接続の安定性を確実にすることができる。最も重要なことは、このような構造が、長期間経過後に組合せ家具の接続部材がさびているようになるのを防ぐことができ、分解及び再組立て中のより便利な動作を確実にすることができることである。上のエンジニアリングプラスチック構造は、単なる好ましい実施の形態であり、材料は、特に、本考案において限定されない。
【００３０】
本考案の実施の形態によるクランプ突出部及びクランプ孔の概略的な部分拡大図である図６を参照すると、図示されるクランプ突出部が参照符号１００で表され、クランプ孔が参照符号２００（図６に点線で示される構造）で表される。また、本考案の実施の形態によるクランプ孔及びラッチの概略的な部分拡大図である図７を参照すると、図示されるクランプ孔が参照符号２００によって表され、ラッチが参照符号３００（図７に陰線で示される構造）で表される。上の接続構造は、これら２つの図を参照することによって明確に理解されることができる。
【００３１】
本考案の組合せ家具の組合せ接続モード（嵌合及び掛け金式接続の組合せモード）は、使用者の体に高強度の支持を提供することができ、また、組合せ家具全体が、これら２つの種々の接続モードの代替構成による接続及び組立てによって得られることができることに留意することが必要とされる。このような構造は、接続の一意的なギャップ及びより高い安定性を有する。同時に、エンジニアリングプラスチックは、より高い負荷に耐えることができる。
【００３２】
好ましくは、さらに図３を参照すると、机上板３は、さらに、配線用孔３２を有する。配線用孔は、いくつかの設備の電源ケーブル（例えば、コンピュータの電源ケーブル、プリンタの電源ケーブル）又は使用に便利な他のタイプの配線を通すために使用されることに留意することが必要とされる。
【００３３】
好ましくは、仕切り板の数は、２ないし４である。上の仕切り板の特定の数は、複数であることができる。２ないし４枚の仕切り板の用意は、側面板間の接続の安定性を保証するだけでなく、材料の使用及び消費を最大限節約する。
【００３４】
使用者が組合せ家具を使用する必要がないとき、組合せ家具は、複数のユニット板を積み重ねるかひとまとめにするために分解され、また、組合せ家具を使用したいとき、ユニット板が組合せ家具へと再度組み立てられることに留意することが必要とされる。このような構造は、使用時に便利である。さらに、取り外されるユニット板の各々の体積が小さく、大きい空間を占めない。このようなモジュール式の組立て構造は、非常に便利であり、分解後の保管及び搬送を容易にする。
【００３５】
本考案の組合せ家具は、エレガントな外観を有し、分解するのに便利である。また、任意の接続が実現可能である。このような構造は、新規であり、経済性に優れている。たとえ長期間置かれても、再組立て中の動作が非常に容易であり、再組立ての後の組合せ家具がなおも安定している。
【００３６】
上の説明は、本考案の好ましい実施の形態にのみ向けられており、本考案を限定するものではない。当業者は、本考案へのさまざまな変形及び変更を想到しうる。本考案の意図及び原理内に含まれるいかなる変形、代替及び改良も、全て、実用新案登録請求の範囲によってカバーされるべきである。
【図１】
0003193186.tif 000003
【図２】
0003193186.tif 000004
【図３】
0003193186.tif 000005
【図４】
0003193186.tif 000006
【図５】
0003193186.tif 000007
【図６】
0003193186.tif 000008
【図７】
0003193186.tif 000009